(57)【要約】【課題】ユーザが光による施療をする場合に、眩しさを抑制することができる照明制御装置、照明制御システム及び照明制御方法を提供する。【解決手段】照明制御装置１０は、周囲の光量に応じて、光源が発する光の出力の初期出力値と、初期出力値から初期出力値よりも大きい目標出力値に到達するまでの所要時間とを決定し、初期出力値から目標出力値に所要時間をかけて到達させるように、光源に与える電力を制御する制御部２０を備える。また、制御部２０は、周囲の光量が第１光量である場合の初期出力値よりも、周囲の光量が第１光量よりも大きい第２光量である場合の初期出力値の方を大きくする。そして、制御部２０は、周囲の光量が第１光量である場合の所要時間よりも、周囲の光量が第２光量である場合の所要時間の方を短くする。【選択図】図８
2019106325.tif 000002
【特許請求の範囲】
【請求項１】
光検出部が検出した周囲の光量に応じて光源を制御する照明制御装置であって、
前記周囲の光量に応じて、前記光源が発する光の出力の初期出力値と、前記初期出力値から前記初期出力値よりも大きい目標出力値に到達するまでの所要時間とを決定し、前記初期出力値から前記目標出力値に前記所要時間をかけて到達させるように、前記光源に与える電力を制御する制御部を備え、
前記制御部は、
前記周囲の光量が第１光量である場合の前記初期出力値よりも、前記周囲の光量が前記第１光量よりも大きい第２光量である場合の前記初期出力値の方を大きくし、
前記周囲の光量が前記第１光量である場合の前記所要時間よりも、前記周囲の光量が前記第２光量である場合の前記所要時間の方を短くする
照明制御装置。
【請求項２】
前記制御部は、前記光源が発する光の出力の変化量を時間の経過とともに増加させる
請求項１に記載の照明制御装置。
【請求項３】
前記制御部は、前記光源が発する光の出力の変化量を、指数関数を用いて時間の経過とともに増加させる
請求項２に記載の照明制御装置。
【請求項４】
さらに、ユーザの操作によって、前記初期出力値、前記所要時間、及びユーザが当該照明制御装置を使用する使用可能時間の少なくとも一方を入力することが可能な入力部を備え、
前記制御部は、前記光検出部が検出した周囲の光量に応じて、前記初期出力値と前記初期出力値から前記目標出力値に到達するまでの前記所要時間とを決定する第１モードと、ユーザの操作によって前記入力部を介して入力された前記初期出力値、前記所要時間、及び使用可能時間を選択的に決定する第２モードとを有する
請求項１〜３のいずれか１項に記載の照明制御装置。
【請求項５】
前記入力部は、さらに、前記第２モードの場合に、周囲の明るさを複数の段階に分けた選択肢から、選択された選択肢の入力を受付け、
前記制御部は、前記入力部から入力された選択肢に応じて、前記初期出力値から前記目標出力値に前記所要時間をかけて到達させるように、前記光源に与える電力を制御する
請求項４に記載の照明制御装置。
【請求項６】
光を発する光源と、
前記周囲の光量を検出する光検出部と、
請求項１〜５のいずれか１項に記載の照明制御装置とを備える
照明制御システム。
【請求項７】
検出した周囲の光量に応じて光源を制御する照明制御方法であって、
前記周囲の光量に応じて、前記光源が発する光の出力の初期出力値と、前記初期出力値から前記初期出力値よりも大きい目標出力値に到達するまでの所要時間とを決定し、前記初期出力値から前記目標出力値に前記所要時間をかけて到達させるように、前記光源に与える電力を制御することと、
前記周囲の光量が第１光量である場合の前記初期出力値よりも、前記周囲の光量が前記第１光量よりも大きい第２光量である場合の前記初期出力値の方を大きくすることと、
前記周囲の光量が前記第１光量である場合の前記所要時間よりも、前記周囲の光量が前記第２光量である場合の前記所要時間の方を短くすることとを含む
照明制御方法。
【発明の詳細な説明】
【技術分野】
【０００１】
本開示は、照明制御装置、照明制御システム及び照明制御方法に関する。
【背景技術】
【０００２】
従来では、超音波センサ等を利用して検知エリア内における人体の存非を検知する人体検知部と、人体検知部での検知情報に基づいて複数の照明負荷の点灯状態を制御する制御部とを備える照明制御装置が開示されている（例えば特許文献１参照）。この照明制御装置では、検知エリア内における人の存在時間に応じた適切な照明環境を提供することができる。
【先行技術文献】
【特許文献】
【０００３】
【特許文献１】特開平１０−１２５４７７号公報
【発明の概要】
【発明が解決しようとする課題】
【０００４】
従来の照明制御装置を、光を身体に照射することによってユーザの体内時計を調節して生体リズムを整える照明装置に適用した場合に、高出力の光をユーザに照射することになるため、ユーザが眩しさを感じ易くなる。これでは、ユーザは、生体リズムを整える光による施療を行わなくなりがちになる。
【０００５】
そこで、本開示は、ユーザが光による施療をする場合に、眩しさを抑制することができる照明制御装置、照明制御システム及び照明制御方法を提供することを目的とする。
【課題を解決するための手段】
【０００６】
上記目的を達成するため、本開示の一態様に係る照明制御装置は、光検出部が検出した周囲の光量に応じて光源を制御する照明制御装置であって、前記周囲の光量に応じて、前記光源が発する光の出力の初期出力値と、前記初期出力値から前記初期出力値よりも大きい目標出力値に到達するまでの所要時間とを決定し、前記初期出力値から前記目標出力値に前記所要時間をかけて到達させるように、前記光源に与える電力を制御する制御部を備え、前記制御部は、前記周囲の光量が第１光量である場合の前記初期出力値よりも、前記周囲の光量が前記第１光量よりも大きい第２光量である場合の前記初期出力値の方を大きくし、前記周囲の光量が前記第１光量である場合の前記所要時間よりも、前記周囲の光量が前記第２光量である場合の前記所要時間の方を短くする。
【０００７】
また、本開示の一態様に係る照明制御システムは、光を発する光源と、前記周囲の光量を検出する光検出部と、請求項１〜５のいずれか１項に記載の照明制御装置とを備える。
【０００８】
また、本開示の一態様に係る照明制御方法は、検出した周囲の光量に応じて光源を制御する照明制御方法であって、前記周囲の光量に応じて、前記光源が発する光の出力の初期出力値と、前記初期出力値から前記初期出力値よりも大きい目標出力値に到達するまでの所要時間とを決定し、前記初期出力値から前記目標出力値に前記所要時間をかけて到達させるように、前記光源に与える電力を制御することと、前記周囲の光量が第１光量である場合の前記初期出力値よりも、前記周囲の光量が前記第１光量よりも大きい第２光量である場合の前記初期出力値の方を大きくすることと、前記周囲の光量が前記第１光量である場合の前記所要時間よりも、前記周囲の光量が前記第２光量である場合の前記所要時間の方を短くすることとを含む。
【発明の効果】
【０００９】
本開示によれば、ユーザが光による施療をする場合に、眩しさを抑制することができる。
【図面の簡単な説明】
【００１０】
【図１】図１は、実施の形態１に係る照明制御装置を含む照明装置を示すブロック図である。
【図２】図２は、ブライトネスと対象物輝度との関係を順応輝度で示す図である。
【図３】図３は、順応輝度とブライトネスとの関係を示す図である。
【図４】図４は、発光モジュールが発する光の出力と所要時間との関係を示す図である。
【図５】図５は、観察者と照明器具との位置関係を示す図である。
【図６】図６は、間接照度に対するＵＧＲを示す図である。
【図７】図７は、環境照度と所要時間との関係を示す図である。
【図８】図８は、照明装置が発する光の明るさと時間との関係を示す図である。
【図９】図９は、照明装置が発する光の明るさと時間との関係を示す図である。
【図１０】図１０は、実施の形態１に係る照明装置の動作を示すフロー図である。
【図１１】図１１は、実施の形態２に係る照明装置の動作を示すフロー図である。
【発明を実施するための形態】
【００１１】
以下、本開示の実施の形態について、図面を参照しながら説明する。以下に説明する実施の形態は、いずれも本開示の好ましい一具体例を示すものである。したがって、以下の実施の形態で示される数値、形状、材料、構成要素、構成要素の配置位置および接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
以下、本開示の実施の形態に係る照明制御装置、照明制御システム及び照明制御方法について説明する。
【００１４】
（実施の形態１）
［構成］
図１は、実施の形態１に係る照明制御装置１０を含む照明装置１を示すブロック図である。
【００１５】
図１に示すように、照明装置１は、ユーザの体内時計を調節して生体リズムを整える光を発する装置である。照明装置１は、例えば、卓上に配置される浴光装置、光施療装置といった装置である。照明装置１は、１の筐体又は複数の装置からなる照明制御システムであってもよい。照明装置１は、照明制御システムの一例である。
【００１６】
生体リズムを整える光は、例えば青色光がある。青色光には、日中に青色を含む光を浴びると、生体リズムを改善する効果があることが知られている。特に、日中に所定の光量以上の青色の光を浴びると、生体ホルモンであるメラトニンの分泌量が増加したり、１日での分泌量の変化（位相）において、位相が前進したりする効果があることが知られている。このため、この青色光を眼に入射させることで、生体リズムの改善を行うことが望ましい。
【００１７】
照明装置１は、発光モジュール１１０と、光検出部１２０と、照明制御装置１０とを備える。
【００１８】
発光モジュール１１０は、人の生体リズムを整える効果のある光を発する装置である。人の生体リズムを整える効果のある光とは、本実施の形態では、青色光を多く含んだ光、青色光と白色光とを含む光である。本実施の形態では、青色光あるいは白色光だけを発することもでき、青色光と白色光とを同時に発することもできる。発光モジュール１１０は、光源の一例である。
【００１９】
なお、ここでいう青色光とは、厳密な意味で青色を意味しているのではなく、通常、青色と見える光を意味し、例えば４３０ｎｍから４９５ｎｍまでの波長を有する光である。また、ここでいう白色光とは、厳密な意味で白色を意味しているのではなく、通常、白色と見える光を意味し、可視光線の各色の光（例えば、青色光（４３０〜４９５ｎｍ）、緑色光（４９５〜５７０ｎｍ）、赤色光（６２０〜７５０ｎｍ）等の光）が略均一に混ざった光である。
【００２０】
発光モジュール１１０は、基板と、基板に実装された複数のＬＥＤ素子とを有する。
【００２１】
基板は、複数のＬＥＤ素子を実装するためのプリント配線基板であり、略矩形状に形成されている。基板としては、例えば、樹脂をベースとする樹脂基板、金属をベースとするメタルベース基板、セラミックからなるセラミック基板等を用いることができる。
【００２２】
複数のＬＥＤ素子は、基板に実装されている。例えば、複数のＬＥＤ素子は、基板に面状（行列状）に配置された、複数のＬＥＤ素子である。例えば、複数のＬＥＤ素子はそれぞれ、基板に等間隔で配置されている。ＬＥＤ素子は、光源の一例であってもよい。
【００２３】
複数のＬＥＤ素子は、ＬＥＤ（Ｌｉｇｈｔ  Ｅｍｉｔｔｉｎｇ  Ｄｉｏｄｅ）素子で構成されている。複数のＬＥＤ素子は、白色光、青色光、及び赤色光を発することが可能である。本実施の形態では、例えば、ＬＥＤ素子は、青色光、緑色光及び赤色光を発光するＲＧＢタイプのＬＥＤ素子である。なお、ＬＥＤ素子は、ＳＭＤ（Ｓｕｒｆａｃｅ  Ｍｏｕｎｔ  Ｄｅｖｉｃｅ）型のＬＥＤ素子であってもよいし、ＣＯＢ（Ｃｈｉｐ  Ｏｎ  Ｂｏａｒｄ）型のＬＥＤ素子であってもよい。ＬＥＤ素子は、ＲＧＢ３色に限られず、ＲＧＢＷ４色であってもよいし、ＢＷ２色（青白２色）であってもよい。
【００２４】
また、図示しないが、基板には、照明制御装置１０からの制御信号を伝送するための配線である信号線及び電源部からの電力を供給するための配線である電力線が設けられている。例えば、信号線及び電力線は、複数のＬＥＤ素子のそれぞれを直列に接続する。複数のＬＥＤ素子のそれぞれは、電力線を介して電源部から電力の供給を受け、信号線からの制御信号に基づいて所定の光を発する。
【００２５】
光検出部１２０は、照明装置１の周囲の光量を検出することができるセンサである。光検出部１２０は、例えば照度センサ等である。光検出部１２０は、周囲の光量を検出したセンサ値を照明制御装置１０に出力する。
【００２６】
照明制御装置１０は、光検出部１２０が検出した周囲の光量に応じて発光モジュール１１０を制御する。照明制御装置１０は、制御部２０と、入力部３０とを有する。
【００２７】
制御部２０は、発光モジュール１１０に供給する電力を制御する。具体的には、制御部２０は、周囲の光量に応じて、発光モジュール１１０が発する光の出力の初期出力値と、初期出力値から初期出力値よりも大きい目標出力値に到達するまでの所要時間とを決定し、初期出力値から目標出力値に所要時間をかけて到達させるように、発光モジュール１１０に与える電力を制御する。つまり制御部２０は、発光モジュール１１０が最初に発する光の光量を示す初期出力値と、目標出力値に到達するまでの所要時間とを決定することで、発光モジュール１１０が発する光の出力を調節する。ここでいう初期出力値及び目標出力値は、明るさ（ｌｘ）を例示しているが、光束（ｌｍ）、放射エネルギー（Ｗ）等であってもよい。
【００２８】
図２は、ブライトネスと対象物輝度との関係を順応輝度で示す図である。図２は、「武内徹二（１９９７）明るさの知覚，照明学会誌，８１（１），４９３−４９９」で示されている。図２では、順応輝度が０（ｃｄ／ｍ２）、３（ｃｄ／ｍ２）、３０（ｃｄ／ｍ２）、３００（ｃｄ／ｍ２）、１０００（ｃｄ／ｍ２）、３０００（ｃｄ／ｍ２）のグラフを示している。
【００２９】
図２の対象物輝度が１０２であるときの各々の順応輝度とブライトネスとの関係を図３で示す。図３は、順応輝度とブライトネスとの関係を示す図である。図３では、ブライトネスの軸の正負が逆方向となる底が１０の対数関数を示した。図３で示すように、順応輝度が上昇するとともにブライトネスが減少していることが判る。このことから、発光モジュール１１０が発する光の出力と所要時間との関係を導く。
【００３０】
図４は、発光モジュール１１０が発する光の出力と所要時間との関係を示す図である。図４に示すように、制御部２０は、発光モジュール１１０が発する光の出力を時間の経過とともに増加させるように制御する。つまり、制御部２０は、発光モジュール１１０に与える電力を時間の経過とともに増加させるように制御する。
【００３１】
制御部２０は、周囲の光量が第１光量である場合の初期出力値よりも、周囲の光量が第１光量よりも大きい第２光量である場合の初期出力値の方を大きくする。つまり制御部２０は、照明装置１の周囲の明るさに応じて初期出力値を決定する。一例を挙げると、制御部２０は、周囲が暗ければ周囲の明るさに合うように初期出力値を低くし、周囲が明るければ周囲の明るさに合うように初期出力値を高くする。なぜなら、例えば、照明装置１が明るく、照明装置１の周囲が暗ければ、明暗差が大きくなる。明暗差が大きくなると、人は、照明装置１の光を必要以上に眩しく感じる傾向がある。このため、照明装置１が発する光の明るさを周囲の明るさに合うように初期出力値を決定する。なお、人は、所定時間が経過すれば、その明るさに慣れる傾向があるため、照明装置１を明るくしても必要以上に眩しいと感じ難くなる。
【００３２】
初期出力値は、照明装置１の周囲の明るさに依存して決定される値であり、０をも含む。初期出力値は、照明装置１の周囲の環境に対してユーザが眩しさを感じない又は感じ難い値に設定している。
【００３３】
初期出力値の設定方法について具体的に説明する。
【００３４】
図５は、観察者と照明装置との位置関係を示す図である。
【００３５】
図５に示すように、不快グレアの程度に影響をおよぼす照明装置の輝度、照明装置の大きさ、照明装置の位置、天井面及び壁面等といった照明装置の発光面の背景となる周辺の明るさを変数とした計算式によって、不快グレアの程度を精度よく評価する方式であるグレアインデックス方式が知られている。これは、例えば、下記のＵＲＬ「ｈｔｔｐ：／／ｗｗｗ２．ｐａｎａｓｏｎｉｃ．ｂｉｚ／ｅｓ／ｌｉｇｈｔｉｎｇ／ｐｌａｍ／ｋｎｏｗｌｅｄｇｅ／ｄｏｃｕｍｅｎｔ／０１０５．ｈｔｍｌｓｈａ−ｐｕａｎｃｈｏｒ＿８」に記載されている。
【００３６】
ここでは、不快グレアを統一した方式である評価値ＵＧＲ（Ｕｎｉｆｉｅｄ  Ｇｌａｒｅ  Ｒａｔｉｎｇ）を考慮する。ＵＧＲは、背景輝度Ｌｂ（ｃｄ／ｍ２）、照明装置の発光面の輝度Ｌ（ｃｄ／ｍ２）、照明装置の発光面の大きさω（ｓｒ）、後述するポジションインデックスρから式（１）により算出される。
【００３７】
【数１】
2019106325.tif 000003
【００３８】
ここで、背景輝度Ｌｂは通常、観察者の眼の位置での間接照度Ｅｉ（ｌｘ）から式（２）により計算される。観察者は、本実施の形態ではユーザである。
【００３９】
【数２】
2019106325.tif 000004
【００４０】
照明装置の発光面の輝度Ｌは、照明装置の観察者方向の光度Ｉ（ｃｄ）と投影面積Ａｐ（ｍ２）から式（３）により求められる。
【００４１】
【数３】
2019106325.tif 000005
【００４２】
照明装置の大きさは、立体角ωで表現されるため、下記の式（４）により、照明装置の投影面積Ａｐ（ｍ２）と観察者から照明装置までの距離ｒ（ｍ）から算出される。
【００４３】
【数４】
2019106325.tif 000006
【００４４】
ポジションインデックスρは、観察者から見たときの照明装置の位置によって決まる指数である。この値を求める方法を図５の照明空間を例に説明する。図５に示すように、観察者と照明装置との位置関係を、視野の中心から照明装置までの高さ方向の距離Ｈ、視野の中心から照明装置までの横方向の距離Ｌ、観察者から注視点までの距離Ｒで表す。次に、これらＨ、Ｌ、Ｒから、Ｌ／Ｒ、Ｈ／Ｒを求める。そして、これら求めたＬ／Ｒ、Ｈ／Ｒからポジションインデックスρを、予め定められたポジションインデックス算出表から読み取る。ＵＧＲの値と不快グレアの程度とは、一定の関係があるため、その関係を基に評価する。
【００４５】
ＪＩＳ屋内作業場の照明基準（ＪＩＳ  Ｚ９１２５：２００７）では、ＵＧＲ値を超えないことが望ましいとしている。つまり、ＵＧＲ値を超えると、ユーザは、眩しさを不快に感じてしまう。このＪＩＳ屋内作業場の照明基準では、例えば、本実施の形態の照明装置を食堂及び休憩室で利用されることを想定した場合に、ＵＧＲ値は２２とされている。
【００４６】
これらのことから、Ｈ、Ｌ、Ｒ等から、観察者の目の位置での間接（背景）照度が３５０、５００、６５０、８００ｌｘの場合のＵＧＲが２２となる、照明装置の観察者の位置での照度を、図６で示した。図６は、間接照度に対するＵＧＲを示す図である。
【００４７】
図６に示すように、視野の中心から照明装置までの高さ方向の距離Ｈ＝１とし、視野の中心から照明装置までの横方向の距離Ｌを０．５とし、観察者から注視点までの距離Ｒを２として、Ｈ／Ｒ、Ｌ／Ｒ、及びポジションインデックスρを算出した。
【００４８】
図６の結果より、後述する図８の（ｄ）において、発光モジュール１１０の明るさが時間の経過とともに階段状の変化率が増加する場合において、間接照度が例えば３５０ｌｘの場合では、ＵＧＲが２２となる照明装置の観察者位置での照度が９００ｌｘと算出された。このため、初期出力値を照明装置の観察者位置での照度が９００ｌｘ以下にすれば、不快なまぶしさは生じないと考えられる。これらの計算を行うことで、初期出力値を、照明装置の周囲の環境に対してユーザが眩しさを感じない又は感じ難い値に設定することができる。
【００４９】
図７は、所要時間ｔと環境照度Ｅとの関係を示す図である。所要時間ｔは縦軸であり、環境照度Ｅは横軸である。
【００５０】
図７の（ａ）は明るさ増加に伴い所要時間Ｅが低下する段状であり、図７の（ｂ）は明るさ増加に伴い所要時間Ｅが低下する反比例曲線状であり、図７の（ｃ）は明るさ増加に伴い所要時間Ｅが低下する階段状であり、図７の（ｄ）は明るさ増加に伴い所要時間Ｅが次第に低下する直線状である。
【００５１】
制御部２０は、周囲の光量が第１光量である場合の所要時間よりも、周囲の光量が第２光量である場合の所要時間の方を短くする。つまり制御部２０は、周囲の光量が第１光量である場合に第２光量の場合よりも所要時間を長くし、周囲の光量が第２光量である場合に第１光量の場合よりも所要時間を短くする。
【００５２】
図７の（ａ）〜（ｄ）で示すように、所要時間ｔと環境照度Ｅとの関係は、いずれの関数も非増加関数で示される。なお、所要時間ｔと環境照度Ｅとの関係は、図７の（ａ）〜（ｄ）で示される関数に限定されない。
【００５３】
図８は、発光モジュール１１０が発する光の明るさｇ（ｔ）と所要時間ｔとの関係を示す図である。環境照度Ｅは縦軸であり、所要時間ｔは横軸である。
【００５４】
図８の（ａ）は時間の経過に伴い発光モジュール１１０が発する光の明るさｇ（ｔ）が増加する直線状であり、図８の（ｂ）は時間の経過に伴い発光モジュール１１０が発する光の明るさｇ（ｔ）が指数関数的に増加する曲線状であり、図８の（ｃ）は時間の経過に伴い発光モジュール１１０が発する光の明るさｇ（ｔ）が増加する複数の直線からなり、図８の（ｄ）は時間の経過に伴い発光モジュール１１０が発する光の明るさｇ（ｔ）が増加する階段状である。
【００５５】
なお、図８の（ｃ）は、ｇ（ｔ）が増加する複数の直線は、明るさの増加と時間の経過とともに直線の傾きも増加している。図８の（ｄ）でも、ｇ（ｔ）が増加する階段状を形成している複数の段部は、明るさの増加と時間の経過とともに明るさの増加量が増えている。
【００５６】
制御部２０は、発光モジュール１１０が発する光の出力の変化量を時間の経過とともに増加させる。より具体的には、制御部２０は、発光モジュール１１０が発する光の出力の変化量を、指数関数を用いて時間の経過とともに増加させる。つまり制御部２０は、発光モジュール１１０が発する光の出力の変化量を、非減少関数に応じて増加させる。例えば、図８の（ｃ）を例示すると、制御部２０が指数関数を用いる場合、指数関数が示す明るさの関数において、０からａ１までの第１の領域と、第１の領域よりも明るいａ１からａ２までの第２の領域とに分割する。第１の領域では、関数が示す明るさの増減が緩やかなため、発光モジュール１１０が点灯する時間である第１の所要時間は長くなる。第２の領域では、関数が示す明るさの増減が、第１の領域に比べて急なため、第２の所要時間は短くなる。第２の領域は、第１の領域の先に存在する領域、つまり発光モジュール１１０が点灯してから第１の所要時間が経過後の領域である。第２の領域で発光モジュール１１０が点灯する時間は、第２の所要時間である。このため、第１の所要時間に第２の所要時間を加算した時間が所要時間となる。
【００５７】
図８の（ａ）〜（ｄ）で示すように、発光モジュール１１０が発する光の明るさｇ（ｔ）と所要時間ｔとの関係は、いずれの関数も非減少関数で示される。なお、発光モジュール１１０が発する光の明るさｇ（ｔ）と所要時間ｔとの関係は、図８の（ａ）〜（ｄ）で示される関数に限定されない。
【００５８】
このような照明装置１において、初期出力値と所要時間とが決定される例を説明する。
【００５９】
図９は、照明装置１が発する光の明るさと時刻との関係を示す図である。
【００６０】
図９に示すように、例えば、周囲の光の明るさを３５２ｌｘとして、時刻６時５５分を基準とし、目標出力値を２４４５ｌｘとし、図８のように直線の非減少関数を用いる。制御部２０は、この条件から、初期出力値を３５２ｌｘと算出し、目標出力値までの所要時間を５分と算出する。この場合に、周囲の明るさが０ｌｘの場合、制御部２０は、点灯開示時刻を、６時５５分よりも１分早い時刻である６時５４分と算出する。つまり所要時間は、６分となる。また、周囲の明るさが１０００ｌｘの場合、制御部２０は、点灯開示時刻を、６時５５分よりも１分３０秒遅い６時５６分３０秒と算出する。
【００６１】
図１に示すように、制御部２０は、センサ値が示す周囲の明るさＥが閾値Ｅ１よりも小さいか否かを判断する。これは、照明装置１の周囲が、明るい環境であるか暗い環境であるかを判断することで、照明装置１の周囲の環境に応じた初期出力値を決定するために行う。
【００６２】
周囲の明るさＥが閾値Ｅ１よりも小さいと制御部２０が判断した場合、制御部２０は、初期出力値から目標出力値までに出力を上げる際に掛かる所要時間Ｔ１ａを算出する。一方、周囲の明るさＥが閾値Ｅ１以上であると制御部２０が判断した場合、制御部２０は、所要時間Ｔ１ａよりも短い時間である、初期出力値から目標出力値までに出力を上げる際に掛かる所要時間Ｔ２ａを算出する。つまり、照明装置１の周囲の明るさが暗い場合、制御部２０は、初期出力値から目標出力値までに出力を上げる際に掛かる所要時間を長くする。一方、照明装置１の周囲の明るさが明るいと制御部２０が判断した場合、制御部２０は、初期出力値から目標出力値までに出力を上げる際に掛かる所要時間を短くする。
【００６３】
また、制御部２０は、明るさ（照度）とユーザが照明装置１を使用する使用可能時間との積分値ｐが必要受光量Ｑ以上であるか否かを判断する。例えば、高齢者のサーカディアンリズムの調整に必要な１日の必要受光量Ｑは、５０００ｌｘ・ｈｏｕｒとされている（Ａ  Ｗｉｒｚ−Ｊｕｓｔｉｃｅ  ｅｔ  ａｌ（２０１３）  Ｃｈｒｏｎｏｔｈｅｒａｐｅｕｔｉｃｓ  ｆｏｒ  Ａｆｆｅｃｔｉｖｅ  Ｄｉｓｏｒｄｅｒｓ，  ＫＡＲＧＥＲ）。このことから、積分値ｐが必要受光量Ｑ以上となれば、１日に必要な受光量を満たしているため、制御部２０は、所要時間Ｔ１ａ、又は所要時間Ｔ２ａで発光モジュール１１０に与える電力を制御する。また、積分値ｐが必要受光量Ｑ未満となれば、１日に必要な受光量を満たしていないため、制御部２０は、所要時間Ｔ１ａよりも短い時間である所要時間Ｔ１ｂ、又は所要時間Ｔ２ａよりも短い時間である所要時間Ｔ２ｂで、発光モジュール１１０に与える電力を制御する。なお、ユーザが照明装置１を使用する使用可能時間は、ユーザが受光する時間である。また、所要時間Ｔ２ｂは、所要時間Ｔ１ｂよりも長い場合もあれば、短い場合もあれば、同一になる場合もある。
【００６４】
図９に示すように例を挙げて説明すると、照明装置１の周囲の明るさが０ｌｘの場合において６時５４分から時間ｔａまでの斜線で示す領域を必要受光量Ｑとし、ユーザが照明装置１を使用する時間である使用可能時間ｔ０とし、関数をｇ（ｔ）とする。必要受光量Ｑは、時刻と明るさの積分値、つまり斜線の領域の面積で示される。この場合の関係式を式（５）で示す。
【００６５】
【数５】
2019106325.tif 000007
【００６６】
この場合では、１日の必要受光量が足りている状態である。
【００６７】
また、別の例を挙げて説明すると、照明装置１の周囲の明るさが０ｌｘの場合において６時５４分から時間ｔａまでの斜線で示す領域を必要受光量Ｑとし、ユーザが照明装置１を使用する時間である使用可能時間ｔ１とする。この場合の関係式を式（６）で示す。
【００６８】
【数６】
2019106325.tif 000008
【００６９】
この場合では、１日の必要受光量が足りていない状態である。
【００７０】
このことから、ユーザが照明装置１を使用する使用可能時間が長い場合、制御部２０は、所要時間Ｔ１ｂ、Ｔ２ｂに対して長い所要時間Ｔ１ａ、Ｔ２ａを算出する。ユーザが照明装置１を使用する使用可能時間が短い場合、制御部２０は、所要時間Ｔ１ａ、Ｔ２ａに対して短い所要時間Ｔ１ｂ、Ｔ２ｂを算出する。このように、ユーザが１日に必要な受光量を満たすように、制御部２０は、所要時間を調節する。
【００７１】
入力部３０は、ユーザの操作によって、ユーザが当該照明制御装置１０を使用する使用可能時間を入力することが可能である。入力部３０は、入力された使用可能時間を、制御部２０に出力するインターフェイスであり、例えば、押下式のボタン、タッチパネル等の表示部等である。なお、入力部３０は、照明制御装置１０に設けられていなくてもよく、照明装置１に設けられているだけでもよい。また、入力部３０は、照明装置１と無線通信可能な、スマートフォン等の入力端末であってもよい。
【００７２】
［動作］
次に、照明制御装置１０、照明装置１及び照明制御方法の動作について、図１０を用いて説明する。
【００７３】
図１０は、実施の形態１に係る照明装置１の動作を示すフロー図である。
【００７４】
図１０に示すように、まず、ユーザは、自身が照明装置１を使用する使用可能時間を入力する（Ｓ１）。使用可能時間の入力は、入力部３０から入力してもよい。また、他の入力部が制御部２０に接続され、他の入力部を介して入力してもよい。
【００７５】
次に、照明装置１の光検出部１２０は、照明装置１の周囲の明るさを検知してセンサ値を生成し、センサ値を照明制御装置１０の制御部２０に出力する。制御部２０は、センサ値を取得すると、センサ値に応じて初期出力値を決定する（Ｓ２）。
【００７６】
次に、制御部２０は、センサ値が示す照明装置１の周囲の明るさＥが閾値Ｅ１よりも小さいか否かを判断する（Ｓ３）。
【００７７】
照明装置１の周囲の明るさＥが閾値Ｅ１よりも小さいと制御部２０が判断した場合（Ｓ３でＹｅｓ）、制御部２０は、初期出力値から目標出力値までに出力を上げる際に掛かる所要時間Ｔ１ａを算出する（Ｓ４）。所要時間Ｔ１ａの算出は、図５及び図６を用いて説明した内容に基づいて算出する。
【００７８】
次に、制御部２０は、受光量の積分値ｐが必要受光量Ｑ以上であるか否かを判断する（Ｓ５）。
【００７９】
積分値ｐが必要受光量Ｑ以上であると制御部２０が判断した場合（Ｓ５でＹｅｓ）、制御部２０は、所要時間Ｔ１ａで発光モジュール１１０に与える電力を制御する（Ｓ６）。具体的には、制御部２０は、初期出力値から目標出力値まで所要時間Ｔ１ａをかけて到達するように、発光モジュール１１０に与える電力を制御する。そして、この処理は終了する。
【００８０】
一方、積分値ｐが必要受光量Ｑ未満であると制御部２０が判断した場合（Ｓ５でＮｏ）、制御部２０は、所要時間Ｔ１ｂで発光モジュール１１０に与える電力を制御する（Ｓ７）。具体的には、制御部２０は、初期出力値から目標出力値まで所要時間Ｔ１ｂをかけて到達するように、発光モジュール１１０に与える電力を制御する。所要時間Ｔ１ｂは、所要時間Ｔ１ａを補正した値であり、所要時間Ｔ１ａよりも小さい値である。所要時間Ｔ１ｂが所要時間Ｔ１ａよりも小さい理由は、積分値ｐが必要受光量Ｑ以下であれば、人のサーカディアンリズムの調整に必要な１日の必要受光量Ｑが足りていない状況である。このため、所要時間Ｔ１ｂを所要時間Ｔ１ａよりも小さくすることで、必要受光量Ｑの積分値ｐを増加させる。そして、この処理は終了する。
【００８１】
一方、周囲の明るさＥが閾値Ｅ１以上であると制御部２０が判断した場合（Ｓ３でＮｏ）、制御部２０は、初期出力値から目標出力値までに出力を上げる際に掛かる所要時間Ｔ２ａを算出する（Ｓ１１）。
【００８２】
次に、制御部２０は、受光量の積分値ｐが必要受光量Ｑ以上であるか否かを判断する（Ｓ１２）。
【００８３】
積分値ｐが必要受光量Ｑ以上であると制御部２０が判断した場合（Ｓ１２でＹｅｓ）、制御部２０は、所要時間Ｔ２ａで発光モジュール１１０に与える電力を制御する（Ｓ１３）。具体的には、制御部２０は、初期出力値から目標出力値まで所要時間Ｔ２ａをかけて到達するように、発光モジュール１１０に与える電力を制御する。そしてこの処理を終了する。
【００８４】
一方、積分値ｐが必要受光量Ｑ未満であると制御部２０が判断した場合（Ｓ１２でＮｏ）、制御部２０は、所要時間Ｔ２ｂで発光モジュール１１０に与える電力を制御する（Ｓ１４）。具体的には、制御部２０は、初期出力値から目標出力値まで所要時間Ｔ２ｂをかけて到達するように、発光モジュール１１０に与える電力を制御する。そしてこの処理を終了する。所要時間Ｔ２ｂは、所要時間Ｔ２ａを補正した値であり、所要時間Ｔ２ａよりも小さい値である。所要時間Ｔ２ｂが所要時間Ｔ２ａよりも小さい理由も、所要時間Ｔ１ｂが所要時間Ｔ１ａよりも小さい理由と同様である。
【００８５】
［作用効果］
次に、本実施の形態における照明制御装置１０、照明装置１及び照明制御方法の作用効果について説明する。
【００８６】
上述したように、本実施の形態に係る照明制御装置１０は、光検出部１２０が検出した周囲の光量に応じて発光モジュール１１０を制御する照明制御装置１０である。照明制御装置１０は、周囲の光量に応じて、発光モジュール１１０が発する光の出力の初期出力値と、初期出力値から初期出力値よりも大きい目標出力値に到達するまでの所要時間とを決定し、初期出力値から目標出力値に所要時間をかけて到達させるように、発光モジュール１１０に与える電力を制御する制御部２０を備える。また、制御部２０は、周囲の光量が第１光量である場合の初期出力値よりも、周囲の光量が第１光量よりも大きい第２光量である場合の初期出力値の方を大きくする。そして、制御部２０は、周囲の光量が第１光量である場合の所要時間よりも、周囲の光量が第２光量である場合の所要時間の方を短くする。
【００８７】
これによれば、制御部２０は、照明装置１の周囲の光量に応じて、初期出力値と所要時間とを決定する。また、制御部２０は、初期出力値から目標出力値に所要時間をかけて到達させるように、発光モジュール１１０に与える電力を制御する。このように、照明装置１の発光モジュール１１０から出射する光は、点灯時から時間の経過とともに次第に増加して目標の明るさに到達する。このため、周囲の光量に応じて照明装置１が点灯するため、ユーザは、照明装置１が点灯時に眩しいと感じ難くなる。また、点灯してから所要時間をかけて照明装置１が発する光の光量が増加するため、ユーザは、照明装置１は発した光を直接見ても、その明るさに慣れることができる。
【００８８】
したがって、ユーザが光による施療をする場合に、眩しさを抑制することができる。
【００８９】
また、本実施の形態に係る照明制御システムは、光を発する発光モジュール１１０と、周囲の光量を検出する光検出部１２０と、照明制御装置１０とを備える。
【００９０】
また、本実施の形態に係る照明制御方法は、検出した周囲の光量に応じて発光モジュール１１０を制御する照明制御方法である。照明制御方法は、周囲の光量に応じて、発光モジュール１１０が発する光の出力の初期出力値と、初期出力値から初期出力値よりも大きい目標出力値に到達するまでの所要時間とを決定し、初期出力値から目標出力値に所要時間をかけて到達させるように、発光モジュール１１０に与える電力を制御することと、周囲の光量が第１光量である場合の初期出力値よりも、周囲の光量が第１光量よりも大きい第２光量である場合の初期出力値の方を大きくすることと、周囲の光量が第１光量である場合の所要時間よりも、周囲の光量が第２光量である場合の所要時間の方を短くすることとを含む。
【００９１】
これらの場合においても、上述と同様の作用効果を奏する。
【００９２】
また、本実施の形態に係る照明制御装置１０において、制御部２０は、発光モジュール１１０が発する光の出力の変化量を時間の経過とともに増加させる。
【００９３】
これによれば、制御部２０が発光モジュール１１０に与える電力の制御を行う時間が長くなり難くなる。このため、所要時間の間でも可能な限りユーザが多くの光を浴びることができるため、ユーザの施療時間が長くなり難くなる。
【００９４】
また、本実施の形態に係る照明制御装置１０において、制御部２０は、発光モジュール１１０が発する光の出力の変化量を、指数関数を用いて時間の経過とともに増加させる。
【００９５】
これによれば、例えば指数関数の第１の領域では、関数が示す明るさの増減が緩やかなため、第１の所要時間は長くなる。このため、発光モジュール１１０が点灯してから第１の所要時間が経過するまでの間に、発光モジュール１１０が発する光は、緩やかに明るくなる。このため、ユーザは、緩やかに明るくなることで、明るさに目が慣れる。
【００９６】
また、例えば指数関数の第２の領域では、関数が示す明るさの増加率が、第１の領域に比べて急なため、所要時間は短くなる。第２の領域は、第１の領域を通過したその先に存在するため、ある程度明るさに目が慣れた状態となっている。つまり、点灯してから第１の所要時間が経過しているため、発光モジュール１１０が発する光が急に明るくなっても、ユーザは、照明装置１は発した光を直接見ても、眩しく感じ難くなる。
【００９７】
（実施の形態２）
本実施の形態に係る照明制御装置１０、照明装置１及び照明制御方法について説明する。
【００９８】
［構成］
実施の形態１では、制御部２０が本実施の形態に相当する第１モードを有していたが、本実施の形態では、制御部２０は、第１モードの他に、さらに第２モードを有する点で、実施の形態１と相違する。本実施の形態の照明制御装置１０、照明装置１の構成は、特に明記しない場合は、実施の形態と同様であり、同一の構成については同一の符号を付して構成に関する詳細な説明を省略する。
【００９９】
図１に示すように、制御部２０は、第１モードと、第２モードとを有する。
【０１００】
第１モードは、光検出部１２０が検出した照明装置１の周囲の光量に応じて、初期出力値、及び所要時間を決定する。第１モードでは、制御部２０が光検出部１２０からセンサ値を所得することで、取得したセンサ値に基づいて、制御部２０が初期出力値、及び所要時間を算出する。
【０１０１】
第２モードは、初期出力値、所要時間、及び使用可能時間が選択的に、ユーザの操作によって入力部３０を介して入力された値に決定する。第２モードでは、入力部３０から入力された選択肢に応じて、初期出力値から目標出力値に所要時間をかけて到達させるように、制御部２０が発光モジュール１１０に与える電力を制御する。
【０１０２】
第１モードと第２モードとの切り替えは、ユーザが入力部３０に表示されたモード切替の画面を操作することで切り替える。なお、第１モードと第２モードとが同時に動作していてもよい。この場合、制御部２０は、例えば、第１モードで決定された初期出力値、及び所要時間よりも第２モードで入力された初期出力値、及び所要時間を優先してもよい。
【０１０３】
入力部３０は、ユーザの操作によって、初期出力値、所要時間、及び使用可能時間の少なくとも一方を入力することが可能である。入力部３０は、入力された初期出力値、所要時間、及び使用可能時間を、制御部２０に出力するインターフェイスである。
【０１０４】
入力部３０は、第２モードの場合に、周囲の明るさを複数の段階に分けた選択肢から、選択された選択肢を入力することが可能である。周囲の明るさを複数の段階に分けた選択肢は、例えば、「明るい」、「普通」、「暗い」という明るさを３段階に分けた選択肢でもよく、眩しさの苦手レベルが高いほど苦手とする１から５までの５段階とした選択肢でもよい。この場合に、例えば苦手レベルが高いほど所要時間を長くするなどの補正を制御部２０が行ってもよい。なお、選択肢は、３つに限定されず、選択肢の内容もこれらに限定されない。入力部３０は、入力された選択肢を、制御部２０に出力する。
【０１０５】
［動作］
次に、照明制御装置１０、照明装置１及び照明制御方法の動作について、図１１を用いて説明する。
【０１０６】
図１１は、実施の形態２に係る照明装置１の動作を示すフロー図である。図１１では、ユーザが周囲の明るさを複数の段階に分けた選択肢から選択して、周囲の明るさを決定する場合の処理である。
【０１０７】
図１１に示すように、制御部２０は、入力部３０に複数の選択肢を表示させる（Ｓ１０１）。つまり、入力部３０には、周囲の明るさを複数の段階に分けた選択肢が表示されている。
【０１０８】
次に、ユーザは、複数の選択肢から１を選択する（Ｓ１０２）。制御部２０は、選択された明るさを周囲の明るさと決定ずる。これにより、ユーザが入力した初期出力値が決定される。以下、ステップＳ１以降は図１０と同様であるため以降の説明を省略する。
【０１０９】
なお、ユーザが所要時間を決定する場合は、ステップＳ４及びステップＳ１１を省略する。
【０１１０】
［作用効果］
次に、本実施の形態における照明制御装置１０、照明装置１及び照明制御方法の作用効果について説明する。
【０１１１】
上述したように、本実施の形態に係る照明制御装置１０は、さらに、ユーザの操作によって、初期出力値、所要時間、及びユーザが当該照明制御装置１０を使用する使用可能時間の少なくとも一方を入力することが可能な入力部３０を備える。また、制御部２０は、光検出部１２０が検出した周囲の光量に応じて、初期出力値と初期出力値から目標出力値に到達するまでの所要時間とを決定する第１モードと、ユーザの操作によって入力部３０を介して入力された初期出力値、所要時間、及び使用可能時間を選択的に決定する第２モードとを有する。
【０１１２】
このように、第１モードでは、光検出部１２０が検出した周囲の光量に応じて、制御部２０が自動的に初期出力値と所要時間とを決定する。また、第２モードでは、初期出力値、所要時間、及び使用可能時間が選択的にユーザの操作によって入力部３０を介して入力された値に決定する。このため、第１モードでは自動的に初期出力値及び目標出力値を決定することができ、第２のモードではユーザの好みに応じて初期出力値、所要時間、及び使用可能時間を選択的に決定することができる。このため、この照明制御装置１０を照明装置１に適応した場合に、使い勝手がよくなる。
【０１１３】
また、本実施の形態に係る照明制御装置１０において、入力部３０は、さらに、第２モードの場合に、周囲の明るさを複数の段階に分けた選択肢から、選択された選択肢の入力を受付ける。そして、制御部２０は、入力部３０から入力された選択肢に応じて、初期出力値から目標出力値に所要時間をかけて到達させるように、発光モジュール１１０に与える電力を制御する。
【０１１４】
このように、入力部３０は、第２モードの場合に、周囲の明るさを複数の段階に分けた選択肢から、選択された選択肢の入力を受付ける。このため、光検出部１２０を用いることなくユーザの好みで照明装置１の周囲の明るさを、入力部３０を介して入力することができる。また、ユーザによっては、眩しさを苦手と感じる場合もあるため、自身の好みで初期出力値、所要時間、及び使用可能時間を決定することができる。このため、この照明制御装置１０を照明装置１に適応した場合に、使い勝手がよくなる。
【０１１５】
本実施の形態における他の作用効果についても、実施の形態１と同様の作用効果を奏する。
【０１１６】
（その他変形例等）
以上、本開示について、実施の形態に基づいて説明したが、本開示は、上記実施の形態に限定されるものではない。
【０１１７】
例えば、上記実施の形態は、照明制御方法をコンピュータに実行させるプログラムであってもよい。
【０１１８】
また、上記実施の形態に係る照明制御装置、照明制御システム及び照明制御方法において、受光量の積分値ｐが必要受光量Ｑ以下となる場合、制御部は、施療時間が足りないことをユーザにお知らせするお知らせ機能を有していてもよい。例えば、制御部は、ユーザに「施療時間を延ばしてください」と表示部に表示させてもよい。
【０１１９】
また、上記実施の形態に係る照明制御装置、照明制御システム及び照明制御方法において、図１０、図１１のステップＳ１の処理は、図１０、図１１の処理の順番に限定されない。例えば、図１０、図１１のステップＳ１の処理は、ステップＳ４の後でもよくその前でもよい。
【０１２０】
また、上記実施の形態に係る照明制御装置、照明制御システム及び照明制御方法において、制御部は、ステップＳ３、ステップＳ５、及びステップＳ２１の判断を行っているが、制御部と異なる判断部がこれらの判断を行ってもよい。この場合、制御部は、発光モジュールに与える電力を制御する駆動制御回路であってもよい。
【０１２１】
また、上記実施の形態に係る照明制御装置、照明制御システム及び照明制御方法において、ユーザの姿勢に応じたユーザの顔面照度を想定して、目標出力値を補正してもよい。具体的には、ユーザの顔面照度は机面の照度の３分の１とも言われているため、単純に目標出力値を３倍に補正してもよい。また、ユーザの姿勢は、入力部に姿勢を示す選択肢が設けられていてもよい。
【０１２２】
また、上記実施の形態に係る照明制御装置、照明制御システム及び照明制御方法に含まれる各処理部は典型的に集積回路であるＬＳＩとして実現される。これらは個別に１チップ化されてもよいし、一部又は全てを含むように１チップ化されてもよい。
【０１２３】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１２４】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサ等のプログラム実行部が、ハードディスク又は半導体メモリ等の記録媒体に記録されたソフトウェアプログラムを読み出して実行することによって実現されてもよい。
【０１２５】
また、上記で用いた数字は、全て本開示を具体的に説明するために例示するものであり、本開示の実施の形態は例示された数字に制限されない。
【０１２６】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１２７】
また、フロー図における各ステップが実行される順序は、本開示を具体的に説明するために例示するためであり、上記以外の順序であってもよい。また、上記ステップの一部が、他のステップと同時（並列）に実行されてもよい。
【０１２８】
その他、実施の形態に対して当業者が思いつく各種変形を施して得られる形態、本開示の趣旨を逸脱しない範囲で実施の形態における構成要素及び機能を任意に組み合わせることで実現される形態も本開示に含まれる。
【符号の説明】
【０１２９】
１  照明装置（照明制御システム）
１０  照明制御装置
２０  制御部
３０  入力部
１１０  光源（発光モジュール）
１２０  光検出部
【図１】
2019106325.tif 000009
【図２】
2019106325.tif 000010
【図３】
2019106325.tif 000011
【図４】
2019106325.tif 000012
【図５】
2019106325.tif 000013
【図６】
2019106325.tif 000014
【図７】
2019106325.tif 000015
【図８】
2019106325.tif 000016
【図９】
2019106325.tif 000017
【図１０】
2019106325.tif 000018
【図１１】
2019106325.tif 000019